(57)【要約】      （修正有）【課題】安価な接触型のバーコードリーダでありながら、バーコードを走査する際にバーコードを傷つけない工夫をしたバーコードリーダを提供する。【解決手段】バーコードに当接して動かされる、当接部３を備えたバーコードリーダ１において、当接部３は、前記バーコードが付された被当接面との線状の接触を可能とする形状を有し、当接部３には、バーコードリーダ１内部からの出射光及びその出射光を受けた前記バーコードからの反射光を通過する通過孔が形成されることを特徴とする。好ましくは、当接部３は、断面において、アーチ状である。【選択図】図１
0003148645.tif 000002
【実用新案登録請求の範囲】
【請求項１】
バーコードに当接して動かされる、当接部を備えたバーコードリーダにおいて、
前記当接部は、前記バーコードが付された被当接面との線状の接触を可能とする形状を有し、
前記当接部には、前記バーコードリーダ内部からの出射光及びその出射光を受けた前記バーコードからの反射光を通過する通過孔が形成されることを特徴とするバーコードリーダ。
【請求項２】
前記当接部の前記通過孔には、前記被当接面に接触しないように球状レンズが固着される、バーコードリーダ。
【請求項３】
前記当接部は、断面視において、アーチ状である、バーコードリーダ。
【請求項４】
バーコードに当接して動かされるバーコードリーダ用のパーツにおいて、
前記バーコードと当接する部分に配置され、
前記バーコードが付された被当接面との線状の接触を可能とする形状を有し、
前記バーコードリーダ内部からの出射光及びその出射光を受けた前記バーコードからの反射光を通過する通過孔が形成されることを特徴とするバーコードリーダ用のパーツ。
【考案の詳細な説明】
【技術分野】
【０００１】
本考案は、先端をバーコードが印字されている物体に当接させてバーを横切るようにしてバーコードを読み取るバーコードリーダ及びその関連技術に関する。
【背景技術】
【０００２】
特許文献１には、ペン型のバーコードリーダが開示されている。ユーザは、このバーコードリーダの先端のレンズをバーコードに当接させてバーコードを読み取らせる。このような接触式のバーコードリーダは非接触式のバーコードリーダと比べて構造が簡単で安価に製造できる。
以下、ユーザがバーコードを読み取るための動作・行為を指して、バーコードを走査する、又は単に走査するという場合がある。
【０００３】
【特許文献１】特開２００８−１１７２４３
【考案の開示】
【考案が解決しようとする課題】
【０００４】
しかし、特許文献１に開示されるバーコードリーダには、走査を繰り返すうちに摩擦によってバーコードや当該バーコードが印字された紙などの媒体を次第に磨耗・損傷させてしまうという欠点がある。また当接部であるレンズ側も摩擦により傷や曇りが発生し、読み取り精度を損なう場合がある。
そこで本考案の目的は、接触式でありながらバーコードを磨耗させにくいバーコードリーダ及びその関連技術を提供することである。
【課題を解決するための手段】
【０００５】
本考案の第１の観点によれば、バーコードに当接して動かされる、当接部を備えたバーコードリーダにおいて、前記当接部は、前記バーコードが付された被当接面との線状の接触を可能とする形状を有し、前記当接部には、前記バーコードリーダ内部からの出射光及びその出射光を受けた前記バーコードからの反射光を通過する通過孔が形成されることを特徴とする。
【０００６】
この構成によれば、バーコードリーダは点ではなく線でバーコードと当接するため、先端部が実際のペンのように円錐形で、バーコードと点で接するタイプのバーコードリーダと比較して、バーコードにかかる圧力が分散されるので、バーコードやバーコードが印字された媒体を磨耗・損傷させにくくなる。
例えばカードに付されたバーコードを読み取ることによって、コンピュータにカードに応じた処理を実行させて遊ぶ、バーコード付きのトレーディングカードゲームにおいては、バーコードが磨耗・損傷すると、そのカードで遊べなくなる恐れがある。また、カード自体が蒐集の対象であるため、プレイヤはなるべくカードに傷をつけたくないと考える。しかし、玩具であるため、なるべくバーコードリーダは安価であることが望まれ、レーザー照射型などの被接触式のバーコードリーダは採用できない場合がある。
そのような場合に、この考案によるバーコードリーダであれば、安価な接触式のバーコードリーダでありながら、バーコードやバーコードが印字された媒体を磨耗・損傷させにくいため、好適である。
【０００７】
前記当接部の前記通過孔には、前記被当接面に接触しないように球状レンズが固着される。
【０００８】
この構成によれば、バーコードを走査する際にレンズに摩擦が生じないため、レンズが傷や曇りが生じることを減らすことができる。結果読み取り精度を長く保つことができる。
【０００９】
好ましくは、前記当接部は、断面視においてアーチ状である。
【００１０】
この構成によれば、被当接部と線状に当接する当接部の形状がアーチ状の曲面を有することにより、当接部をとがった形状にする場合と比較して、よりバーコードにかかる圧力が分散されるので、バーコードを磨耗させにくくなる。
【００１１】
本考案の第２の観点によればバーコードリーダ用のパーツは、バーコードに当接して動かされるバーコードリーダ用のパーツにおいて、前記バーコードと当接する部分に配置され、前記バーコードが付された被当接面との線状の接触を可能とする形状を有し、前記バーコードリーダ内部からの出射光及びその出射光を受けた前記バーコードからの反射光を通過する通過孔が形成されることを特徴とする。
【００１２】
この構成によるパーツをバーコードリーダの、バーコードに当接する部分に使用すれば、本考案の第１の観点によるバーコードリーダと同様の効果を奏する。
【考案を実施するための最良の形態】
【００１３】
以下、本考案の実施の形態について、図面を参照しながら説明する。なお、図中、同一または相当部分については同一の参照符号を付してその説明を援用する。
【００１４】
図１は、本考案の実施の形態によるバーコードリーダの全体構成を示す図である。
図１を参照してバーコードリーダ１は、当接部３、球面レンズ５、ハウジング７、ＵＳＢ（Ｕｎｉｖｅｒｓａｌ  Ｓｅｒｉａｌ  Ｂｕｓ）ケーブル９とを備える。
バーコードリーダ１はＵＳＢケーブル９によって端末（パーソナルコンピュータ等）に接続され、読み取ったバーコード情報を端末に送信したり、端末から必要な電力の供給を受けたりする。
【００１５】
図２は図１の当接部３の拡大図である。
図２を参照して、当接部３はアーチ状の形状をしているため、その先端部は頂点ではなく山の稜線のような線状になっている。
ユーザは当接部３の線状の先端部とバーコードのバーとがだいたい並行になるようにバーコードリーダ１を持ち、当接部３をバーコードが印字された被当接面に当接させ、走査を行う。アーチ状の形状により、走査を行う際、バーコードリーダ１を被当接面に対して垂直にしなくても、被当接面と当接部３とが線状に当接した状態で、当接部３の曲面に沿って、バーコードリーダ１を傾けることができる。
当接部３には、バーコードが印字された紙などに対して摩擦が少なくなるように、コーティングが施されている。
【００１６】
次に、アーチ状の形状がより明確になるように、断面図を図３で示す。
図３（ａ）は、バーコードリーダ１の長手方向に平行で、バーコードリーダ１の中心を通り、かつ当接部３の線状の先端部に平行な平面による断面図である。図３（ｂ）は、バーコードリーダ１の長手方向に平行で、バーコードリーダ１の中心を通り、かつ当接部３の線状の先端部に垂直な平面による断面図である。
【００１７】
さらに、当接部３の先端部の中央には、球面レンズ５が露出する円形の穴３３がある。球面レンズ５の頭頂部は、当接部３の線状の先端部の先までは出ておらず、穴３３の内部に納まっている。このため当接部３が被当接面と当接する際に、球面レンズ５は被当接面に非常に近い位置に接近するが、接触はしない。このため、走査時に球面レンズ５には摩擦が発生しない。
【００１８】
図４は、図１のバーコードリーダ１の電気的構成を示す図である。
図４を参照して、バーコードリーダ１は、ハウジング３の内部にスキャナ１３、ＭＣＵ１５、及びＵＳＢコントローラ１７を含む。スキャナ１３の内部には図示はしないが発光ダイオード及び及びフォトトランジスタが存在する。発光ダイオードの光は球面レンズ５を通してバーコードに照射され、反射光は再び球面レンズ５を通ってスキャナ１３内のフォトトランジスタに導かれる。フォトトランジスタは反射光の強弱に応じた電流を流す。
上記のようにしてスキャナ１３は、バーコードパターンを光学的に読み込み、バーとスペースを電気信号に変換する（スキャン）。なお、本考案においてスキャン方式は、任意の方式を採用すればよい。スキャナ１３からの、バーコードパターン１１に応じた電気信号は、ＭＣＵ１５に与えられる。
【００１９】
ＭＣＵ１５は、いずれも図示は省略するが、ＣＰＵ、ＲＡＭ及びＲＯＭ等を内蔵している。ＲＯＭには、デコードプログラム、出力制御プログラムその他必要なプログラム及びデータが格納される。
ＭＣＵ１５は、デコードプログラムを実行して、入力されたバーコードパターンに応じた電気信号を解読して、バーコード情報を取得する。そして、ＭＣＵ１５は、バーコード情報をキーボードデータに変換し、ＲＡＭに格納する。そして、ＭＣＵ１５は、出力制御プログラムを実行して、ＲＡＭからバーコード情報を取得し、これらキーボードデータを通信装置１７に渡す。
【００２０】
ＵＳＢコントローラ１７は、ＭＣＵ１５から受け取ったキーボードデータをＵＳＢケーブル９を介して端末に送信する。なお、この実施の形態ではＵＳＢケーブル９及びＵＳＢコントローラ１７を使用しているが、スキャン方式と同様、端末との通信手段及び電源供給手段は任意のものを採用すればよい。
【００２１】
さて、以上のように、本実施の形態によれば、バーコードリーダ１は点ではなく線でバーコードと当接するため、先端部が実際のペンのように円錐形で、バーコードと点で接するタイプのバーコードリーダと比較して、バーコードにかかる圧力が分散されるのでバーコードを磨耗させにくくなる。
例えばカードに付されたバーコードを読み取ることによって、コンピュータにカードに応じた処理を実行させて遊ぶ、バーコード付きのトレーディングカードゲームにおいては、バーコードが磨耗・損傷すると、そのカードで遊べなくなる恐れがある。また、カード自体が蒐集の対象であるため、プレイヤはなるべくカードに傷をつけたくないと考える。しかし、玩具であるため、なるべくバーコードリーダは安価であることが望まれ、レーザー照射型などの、バーコードや媒体を傷つけない被接触式のバーコードリーダは採用できない場合がある。
そのような場合に、バーコードリーダ１であれば、安価な接触式のバーコードリーダでありながら、バーコードやバーコードが印字された媒体を磨耗・損傷させにくいため、好適である。
【００２２】
バーコードを走査する際に球面レンズ５に摩擦が生じないため、球面レンズ５が傷や曇りが生じることを減らすことができる。結果読み取り精度を長く保つことができる。
【００２３】
被当接部と線状に当接する当接部３の先端の形状がアーチ状の曲面を有することにより、当接部３の形状をとがった形状にする場合と比較して、よりバーコードにかかる圧力が分散されるのでバーコードを磨耗させにくくなる。
【００２４】
なお、本考案は、上記の実施の形態に限られるものではなく、その要旨を逸脱しない範囲で種々の態様において実施することが可能であり、例えば、以下のような変形も可能である。
【００２５】
（１）上記実施の形態では、当接部３の形状はアーチ状であったが、当接部３の形状ははこれに限られず、バーコードと線状に当接するのであれば、例えば図５に示すような断面視において略三角形状の先端部であってもよい。
図５は図１の当接部３の形状の変形例の一つを示す図である。図５を参照して、バーコードリーダ１０１は、先端部１０３、球面レンズ１０５、ハウジング１０７を含む。先端部１０３の形状は三角形状の面を側面とする略三角柱状であり、長方形状の面の一辺が先端部になるようになっている。オペレータはこの先端部を、バーコードが印字された被当接面と当接させて、走査を行う。
ただし、変形例のように、当接部の先端部をとがった形状にするよりも、上記の実施の形態のように、当接部を断面視においてアーチ状やかまぼこ状等のゆるやかな曲面を有する形状にした方が、よりバーコードにかかる圧力を減らすことができるため、より好ましい。
【００２６】
（２）上記実施の形態では、バーコードリーダ１は円筒形のペン型だったが、当接部３の形状がバーコードの付された被当接面との線状の接触を可能とする形状であるならば、それ以外の部分の形状は任意の形状が採用可能である。
【００２７】
上記の実施の形態では、当接部３とハウジング７とは一体に形成されていたが、それぞれ別パーツとして形成し、後で組み立てる形式であってもよい。又は、従来のペン型バーコードリーダの先端部に取り付け可能なアタッチメントパーツであって、取り付けた際に先端部が当接部３のような、バーコードと線状に当接する形状となるようなアタッチメントパーツを別途用意しても良い。このような構成によっても、上記実施の形態によるバーコードリーダ１と同様の効果を奏する。
【図面の簡単な説明】
【００２８】
【図１】本考案の実施の形態によるバーコードリーダの全体構成を示す図である。
【図２】図１の当接部３の拡大図である。
【図３】（ａ）…バーコードリーダ１の長手方向に平行で、バーコードリーダ１の中心を通り、かつ当接部３の線状の先端部に平行な平面による断面図である。（ｂ）…バーコードリーダ１の長手方向に平行で、バーコードリーダ１の中心を通り、かつ当接部３の線状の先端部に垂直な平面による断面図である。
【図４】図１のバーコードリーダ１の電気的構成を示す図である。
【図５】図１の当接部３の形状の変形例の一つを示す図。
【符号の説明】
【００２９】
１…バーコードリーダ、３…当接部、５…球面レンズ、７…ハウジング、９…ＵＳＢケーブル
【図３】
0003148645.tif 000003
【図４】
0003148645.tif 000004
【図５】
0003148645.tif 000005
【図１】
0003148645.tif 000006
【図２】
0003148645.tif 000007
【手続補正書】
【提出日】平成20年12月10日(2008.12.10)
【手続補正１】
【補正対象書類名】実用新案登録請求の範囲
【補正対象項目名】全文
【補正方法】変更
【補正の内容】
【実用新案登録請求の範囲】
【請求項１】
バーコードに当接して動かされる、当接部を備えたバーコードリーダにおいて、
前記当接部は、前記バーコードが付された被当接面との線状の接触を可能とする形状を有し、
前記当接部には、前記バーコードリーダ内部からの出射光及びその出射光を受けた前記バーコードからの反射光を通過する通過孔が形成されることを特徴とするバーコードリーダ。
【請求項２】
前記当接部の前記通過孔には、前記被当接面に接触しないように球状レンズが固着される、請求項１記載のバーコードリーダ。
【請求項３】
前記当接部は、断面視において、アーチ状である、請求項１又は２に記載のバーコードリーダ。
【請求項４】
バーコードに当接して動かされるバーコードリーダ用のパーツにおいて、
前記バーコードと当接する部分に配置され、
前記バーコードが付された被当接面との線状の接触を可能とする形状を有し、
前記バーコードリーダ内部からの出射光及びその出射光を受けた前記バーコードからの反射光を通過する通過孔が形成されることを特徴とするバーコードリーダ用のパーツ。